(57)【要約】【課題】  二部材を交差させ交差部を枢結（枢結軸１）して一方を柄部２ａ，２ｂとし、他方を切断刃体や挟持体の作用部３ａ，３ｂとしている鋏型作業工具において、切断操作時や挟持操作時にストッパーとして作用する箇所の衝突の衝撃が手に直接響くのを防止して、使い易い工具を提供する。【解決手段】  作用部３ａ，３ｂを全閉した際に枢結軸を中心とした回動が停止するために衝突する部位、例えば柄部の対向面に設けた突部４ａ，４ｂや、枢結箇所の近傍の部材重合箇所において部材衝突箇所となる部位に、適宜なクッション機能及び反発機能を備えた弾性部５ａ，５ｂを設けてなり、衝突部位で衝突した際に、弾性部５ａ，５ｂで衝突の衝撃を吸収すると同時に弾性部の反発力で開放方向への付勢力とする。【選択図】  図１
0003113224.tif 000002
【実用新案登録請求の範囲】
【請求項１】
二部材を交差させ交差部を枢結して一方を柄部とし、他方を切断刃体や挟持体の作用部としている鋏型作業工具において、作用部を全閉した際に枢結軸を中心とした回動が停止するために衝突する部位に、適宜なクッション機能及び反発機能を備えた弾性部を設けてなることを特徴とする鋏型作業工具。
【請求項２】
柄部の対向面に突部を設けると共に、当該突部に弾性部を設けてなる請求項１記載の鋏型作業工具。
【請求項３】
柄部の対向面に設けた突部の一方に硬質樹脂製の弾性部を設け、他方の突部に柔軟質樹脂からなる弾性部を設けてなる請求項２記載の鋏型作業工具。
【請求項４】
コイルバネ全体を軟質樹脂で被覆して弾性部としてなる請求項２又は３記載の鋏型作業工具。
【請求項５】
枢結箇所の近傍の部材重合箇所において部材衝突箇所となる顎部又は顎部の対向部位に弾性部を設けてなる請求項１記載の鋏型作業工具。
【考案の詳細な説明】
【技術分野】
【０００１】
本考案は、刈込鋏や剪定鋏のように長柄タイプの鋏型作業工具に関するものである。
【背景技術】
【０００２】
鋏型作業工具は、二部材を交差させ、交差部を枢結し、一方を柄部とし、他方を切断刃体や挟持体の作用部としているものである。
【０００３】
前記のような作業工具においては、特許文献１（実公平１−２５５５６号公報）の第１図に示すように柄部を閉じた際に柄部を握持している左右の手が互いにぶつからない様にストッパーを設けていたり、作用部を閉じた際に枢結箇所の近傍の重合箇所における表裏部材の顎部が当接（衝突）してストッパー作用をなし、柄部が所定の間隔を維持するようにしている。
【０００４】
また切断作用部を備えている作業工具においては、連続切断に便利なように、開放方向に付勢する発条を備えているものがある。発条としては、渦巻きバネ（特許文献２：実開昭５８−１５８６６６号公報）、板バネ（特許文献３：実公昭６０−１２４８３号公報）、コイルバネ（特許文献４：実開昭６０−７２１４９号公報）等が採用されている。
【０００５】
【特許文献１】実公平１−２５５５６号公報第１図。
【特許文献２】実開昭５８−１５８６６６号公報。
【特許文献３】実公昭６０−１２４８３号公報。
【特許文献４】実開昭６０−７２１４９号公報。
【考案の開示】
【考案が解決しようとする課題】
【０００６】
前記した特許文献１のように長柄を備え、両手で操作する作業工具には、切断操作時や挟持操作時に、左右の柄部が所定の間隔を有するようにストッパー作用を発揮する構造を採用する必要があるが、切断操作時や挟持操作時にストッパー作用箇所の衝突の衝撃が手に直接響く。特に連続切断操作に際しては、衝撃が連続してしまうし、ストッパー部位が衝突しないように操作することによって手への衝撃を少なくできるが、切断効率が悪く、必ずしも使い易い工具とはいえない。
【０００７】
また開放方向に付勢する発条を備えている作業工具においては、切断操作後の開放方向移動が発条の付勢力によって開放方向への操作は容易であるが、切断方向の操作においては、当該発条を圧縮する余分な力を必要とするものであり、長柄を備えた鋏型作業工具においては、柄部間への発条の介設は、必ずしも操作性を向上させるとは認められない。
【０００８】
そこで本考案は、前記課題を解消する新規な鋏型作業工具を提案したものである。
【課題を解決するための手段】
【０００９】
本考案に係る鋏型作業工具は、二部材を交差させ交差部を枢結して一方を柄部とし、他方を切断刃体や挟持体の作用部としている鋏型作業工具において、作用部を全閉した際に枢結軸を中心とした回動が停止するために衝突する部位、例えば柄部の対向面に設けた突部や、枢結箇所の近傍の部材重合箇所において部材衝突箇所となる部位に、適宜なクッション機能及び反発機能を備えた弾性部を設けてなることを特徴とするものである。
【００１０】
而して柄部を握持して柄部開閉操作で作用部に所定の仕事（切断や挟持）を行わせ、柄部を閉じ方向に操作し、衝突部位で衝突した際に、弾性部で衝突の衝撃を吸収する。同時に弾性部の反発力は、開放方向への付勢力となる。
【考案の効果】
【００１１】
本考案は上記構成を採用しているものであるから、柄部を握持しての開閉操作において、手に衝撃を受けることなく、且つ弾性部の反発力によって連続操作がリズミカルに操作することができたものである。
【考案を実施するための最良の形態】
【００１２】
＜第一実施形態＞実施形態の作業工具は刈込鋏を例としたもので図１乃至３は本考案の第一の実施形態である。
【００１３】
実施形態の刈込鋏は基本的に従前のものと同様に、二部材を交差させ交差部を枢結（枢結軸１）して一方を長柄部（柄部）２ａ，２ｂとし、他方を切断刃体（作用部）３ａ，３ｂとし、長柄部２ａ，２ｂの開閉操作で、切断刃体３ａ，３ｂによる枝の刈り込みを行うようにしているものである。
【００１４】
特に本考案は、柄部の対向面に突部４ａ，４ｂを設けると共に、前記突部４ａ，４ｂに切断刃体（作用部）３ａ，３ｂを全閉した際に衝突する弾性部５ａ，５ｂを設けたものである。
【００１５】
弾性部５ａ，５ｂは、衝突時の衝撃を充分に吸収できるクッション機能と、全閉位置での変形からの充分な復帰力を備える反発機能を備えるように設けたもので、例えば一方の弾性部５ａは、ある程度硬質の樹脂で形成し、他方の弾性部５ｂは、軟質樹脂製とし、特に圧縮状態に対応して反発力が増大する構成とするもので、例えばコイルバネ５１の全体を軟質樹脂５２で被覆して弾性部５ｂとする等して、適宜なクッション機能と、反発機能を備えるようにする。
【００１６】
勿論弾性部５ａ，５ｂは前記構成に限定されるものではなく、例えば衝突面をゴム質材で覆ったコイルバネを弾性部とし、コイルバネの弾性機能の設定で所望のクッション機能と、反発機能を備えるようにしても良い。
【００１７】
而して前記実施形態の作業工具（刈込鋏）は、長柄部２ａ，２ｂを左右の手で握持して、開閉操作を行うことで所定の枝切断を行うもので、連続操作に際しては、長柄部２ａ，２ｂの全閉時に弾性部５ａ，５ｂの衝突によって手に衝撃を受けることがなく、同時に弾性部５ａ，５ｂの反発力によって連続操作がリズミカルに操作することができる。
【００１８】
＜第二実施形態＞  図４，５は、本考案の第二の実施形態で、第一実施形態と同様に二部材を交差させ交差部を枢結（枢結軸１）して一方を長柄部（柄部）２ａ，２ｂとし、他方を切断刃体（作用部）３ａ，３ｂとし、長柄部２ａ，２ｂの開閉操作で、切断刃体３ａ，３ｂによる枝の刈り込みを行うようにしているものである。
【００１９】
特に弾性部６を、枢結軸１の近傍の部材重合箇所において、部材の衝突箇所となる顎部７ａの対向部位７ｂに設けたものである。
【００２０】
弾性部６は、適宜な硬さのゴム質材で形成したもので、作業工具の開放状態（図５イ）から全閉状態に移行すると、顎部７ａが弾性部６に衝突すると共に、弾性部６を圧縮し、所定の圧縮状態で停止し、長柄部２ａ，２ｂの閉鎖動作を解除すると、弾性部６の復帰力で長柄部２ａ，２ｂを開放方向に付勢する。
【００２１】
従って第一実施形態と同様に、長柄部２ａ，２ｂの開閉操作によって所定の枝切断を連続的に実施すると、長柄部２ａ，２ｂの全閉時に弾性部６と顎部７との衝突によって手に衝撃を受けることがなく、同時に弾性部６の反発力によって連続操作がリズミカルに操作することができることになる。
【図面の簡単な説明】
【００２２】
【図１】本考案の第一実施形態の全体の正面図。
【図２】同弾性部の衝突時状態の説明図で（イ）は衝突直前（ロ）衝突状態を示す。
【図３】同弾性部の説明図（一部切断斜視図）。
【図４】本考案の第二実施形態の全体の正面図。
【図５】同弾性部の衝突時状態の説明図で（イ）は衝突直前（ロ）衝突状態を示す。
【符号の説明】
【００２３】
１            枢結軸
２ａ，２ｂ    長柄部（柄部）
３ａ，３ｂ    切断刃体（作用部）
４ａ，４ｂ    突部
５ａ，５ｂ    弾性部
５１          コイルバネ
５２          軟質樹脂
６            弾性部
７ａ          顎部
７ｂ          対向部位
【図１】
0003113224.tif 000003
【図２】
0003113224.tif 000004
【図３】
0003113224.tif 000005
【図４】
0003113224.tif 000006
【図５】
0003113224.tif 000007